【手続補正書】
【提出日】平成24年6月27日(2012.6.27)
【手続補正１】
【補正対象書類名】特許請求の範囲
【補正対象項目名】全文
【補正方法】変更
【補正の内容】
【特許請求の範囲】
【請求項１】
反応性ポリマーを調製する工程と、
該反応性ポリマーを保護されたアミノ基を含むイミド化合物と反応させる工程と
を含む、官能化ポリマーの調製方法。
【請求項２】
前記イミド化合物が、フタルイミド基、マレイミド基、シトラコンイミド基、スクシンイミド基、１,８-ナフタルイミド基、２,３-ナフタルイミド基、１,２-シクロペンタンジカルボキシイミド基、および１,２-シクロへキサンジカルボキシイミド基からなる群から選択されるイミド基を含む、請求項１に記載の方法。
【請求項３】
前記イミド化合物が、式Ｉ：
【化１】
2011526957.tif 000001
［式中、Ｒ１およびＲ２はそれぞれ独立して二価の有機基であり、Ｒ３およびＲ４はそれぞれ独立して一価の有機基または加水分解性の基であるか、Ｒ３およびＲ４は結合して二価の有機基を形成する］で定義されるか、
前記イミド化合物が、式ＩＩ：
【化２】
2011526957.tif 000002
［式中、Ｒ１、Ｒ２、およびＲ６はそれぞれ独立して二価の有機基であり、Ｒ５およびＲ７はそれぞれ独立して結合または加水分解性の基である］で定義されるか、
前記イミド化合物が、式ＩＩＩ：
【化３】
2011526957.tif 000003
［式中、Ｒ１およびＲ２はそれぞれ独立して二価の有機基であり、Ｒ８およびＲ９はそれぞれ独立して水素原子または一価の有機基であるか、少なくとも１つのＲ８および少なくとも１つのＲ９は結合して二価の有機基を形成する］で定義されるか、
前記イミド化合物が、式ＩＶ：
【化４】
2011526957.tif 000004
［式中、Ｒ１、Ｒ２、およびＲ６はそれぞれ独立して二価の有機基であり、Ｒ８およびＲ９はそれぞれ独立して水素原子または一価の有機基である］で定義される、
請求項１に記載の方法。
【請求項４】
前記加水分解性の基が、トリヒドロカルビルシリル基およびジヒドロカルビルヒドロシリル基からなる群から選択される、請求項３に記載の方法。
【請求項５】
前記イミド化合物が、Ｎ-[ビス(トリヒドロカルビルシリル)アミノヒドロカルビル]イミド化合物、Ｎ-[ビス(ジヒドロカルビルヒドロシリル)アミノヒドロカルビル]イミド化合物、Ｎ-[(１-アザ-ジシラ-１-シクロヒドロカルビル)ヒドロカルビル]イミド化合物、Ｎ-[(トリヒドロカルビルシリル)(ヒドロカルビル)アミノヒドロカルビル]イミド化合物、Ｎ-[(ジヒドロカルビルヒドロシリル)(ヒドロカルビル)アミノヒドロカルビル]イミド化合物、Ｎ-[(１-アザ-２-シラ-１-シクロヒドロカルビル)ヒドロカルビル]イミド化合物、Ｎ-(ジヒドロカルビルアミノヒドロカルビル)イミド化合物、およびＮ-[(１-アザ-１-シクロヒドロカルビル)ヒドロカルビル]イミド化合物からなる群から選択される、請求項１に記載の方法。
【請求項６】
前記反応性ポリマーを保護されたアミノ基を含むイミド化合物と反応させる工程を、前記反応性ポリマーを失活させる前に行う、請求項１に記載の方法。
【請求項７】
前記反応性ポリマーを調製する工程が、共役ジエンモノマーおよび任意でそれと共重合可能なモノマーを重合させることを含む、請求項１に記載の方法。
【請求項８】
前記反応性ポリマーを調製する工程が、配位触媒系を用いることを含む、請求項７に記載の方法。
【請求項９】
前記配位触媒系がランタニド系の触媒系を含む、請求項８に記載の方法。
【請求項１０】
前記ランタニド系の触媒系が、（ａ）ランタニド化合物、（ｂ）アルキル化剤、および（ｃ）ハロゲン含有化合物を含む、請求項９に記載の方法。
【請求項１１】
前記アルキル化剤が、アルミノキサンおよび式：ＡｌＲｎＸ３−ｎ［式中、各Ｒは、同一でも異なってもよく、炭素原子を介してアルミニウム原子に結合した一価の有機基であり、各Ｘは、同一でも異なってもよく、水素原子、ハロゲン原子、カルボキシレート基、アルコキシド基、またはアリールオキシド基であり、ｎは１〜３の整数である］で表される有機アルミニウム化合物を含む、請求項１０に記載の方法。
【請求項１２】
前記反応性ポリマーを調製する工程を、２０重量％未満の有機溶剤を含む重合混合物中で行う、請求項７に記載の方法。
【請求項１３】
前記保護されたアミノ基を含むイミド化合物の前記ランタニド化合物のランタニド金属に対するモル比が、約１：１〜約２００：１である、請求項１０に記載の方法。
【請求項１４】
前記反応性ポリマーを調製する工程が、アニオン開始剤を用いることを含む、請求項７に記載の方法。
【請求項１５】
前記アニオン開始剤が有機リチウム化合物を含み、
前記有機リチウム化合物が、アルキルリチウム化合物、アリールリチウム化合物、ヘテロ環式リチウム化合物、およびトリアルキルスズリチウム化合物からなる群から選択される、
請求項１４に記載の方法。
【請求項１６】
（ｉ）共役ジエンモノマー、任意でそれと共重合可能なモノマー、および触媒または開始剤を導入して重合混合物を形成する工程と、
（ｉｉ）該重合混合物に保護されたアミノ基を含むイミド化合物を加える工程と
を含み、
活性な前記重合混合物を調製する工程が、共役ジエンモノマーと、ランタニド系の触媒系またはアニオン重合開始剤を導入することを含む、
官能性ポリマーの調製方法。
【請求項１７】
（ｉ）モノマーを重合させて反応性ポリマーを生成させる工程と、
（ｉｉ）該反応性ポリマーを保護されたアミノ基を含むイミド化合物と反応させる工程と
により調製され、
前記モノマーが共役した１,３-ブタジエンモノマーを含み、それから調製した前記反応性ポリマーが反応性シス-１,４-ポリジエンである、
官能化ポリマー。
【請求項１８】
保護されたアミノ基を含むイミド化合物であって、
前記イミド化合物が、式Ｉ：
【化５】
2011526957.tif 000005
［式中、Ｒ１およびＲ２はそれぞれ独立して二価の有機基であり、Ｒ３およびＲ４はそれぞれ独立して一価の有機基または加水分解性の基であるか、Ｒ３およびＲ４は結合して二価の有機基を形成する］で定義されるか、
前記イミド化合物が、式ＩＩ：
【化６】
2011526957.tif 000006
［式中、Ｒ１、Ｒ２、およびＲ６はそれぞれ独立して二価の有機基であり、Ｒ５およびＲ７はそれぞれ独立して結合または加水分解性の基である］で定義されるか、
前記イミド化合物が、式ＩＩＩ：
【化７】
2011526957.tif 000007
［式中、Ｒ１およびＲ２はそれぞれ独立して二価の有機基であり、Ｒ８およびＲ９はそれぞれ独立して水素原子または一価の有機基であるか、少なくとも１つのＲ８および少なくとも１つのＲ９は結合して二価の有機基を形成する］で定義されるか、
前記イミド化合物が、式ＩＶ：
【化８】
2011526957.tif 000008
［式中、Ｒ１、Ｒ２、およびＲ６はそれぞれ独立して二価の有機基であり、Ｒ８およびＲ９はそれぞれ独立して水素原子または一価の有機基である］で定義される、
イミド化合物。
【請求項１９】
前記イミド化合物がＮ-[３-ビス(トリメチルシリル)アミノ-１-プロピル]フタルイミドである、請求項１８に記載のイミド化合物。
【請求項２０】
前記イミド化合物がＮ-[３-(２,２,５,５-テトラメチル-１-アザ-２,５-ジシラ-１-シクロペンチル)-１-プロピル]フタルイミドである、請求項１８に記載のイミド化合物。